(57)【特許請求の範囲】
【請求項１】
基台上に配設した外壁槽の内側に、脱水槽と洗浄槽と案内筒を夫々所要間隔をおいて同心円状に順次嵌装してなり、上記外壁槽はその上端部に、中央部に円孔を設けた環状の上板を装着して内周に空送室を形成し，該空送室の一側に細片送出口を設けると共に、底部中央にはベアリングを設けて回転軸を縦向きに装着し、該回転軸はその下端部に設けたプーリーにより脱水モーターに連結してあり、上記脱水槽は、周壁に多数の脱水孔を配設し、周壁上端の空送室側には適宜数の羽根片を設け、底部中央には軸孔を設けて上記回転軸の上端部を通すと共に、回転軸を軸孔周囲に固着して、回転軸の回転と同時に回転し得るようにしてあり、上記洗浄槽は、その周壁の上側部を上板の円孔から突出させると共に、円孔周囲に設けたベアリングで枢着し、周壁の下側部には細片排出口を設け、外周には下端部から上板近くまで及ぶスクリューを螺旋状に設け、且つその外周縁が脱水槽内面に近接するようにし、周壁下端部にはベアリングを設けて上記回転軸の上端部に枢着し、洗浄槽上端部に設けたプーリーを洗浄モーターに連結してあり、上記案内筒は、洗浄槽内の上端部から下部の排出口近くに亘り嵌装してあると共に、上端部は、外部に支持固定されている漏斗状のバスケットの下端部に連結してあることを特徴とする回収紙コップ、牛乳パック等の細片の洗浄脱水機。
【請求項２】
投入された紙コップ、牛乳パック等を鋸歯状回転刃の噛み合わせにより適宜大きさの細片に破砕する破砕機と、破砕された細片を洗浄し脱水する洗浄脱水機と、脱水された細片をブロワーにより収納袋に送る移送手段とを備えた再生処理装置において、上記洗浄脱水機は、基台上に配設した外壁槽の内側に、脱水槽と洗浄槽と案内筒を夫々所要間隔をおいて同心円状に順次嵌装してなり、上記外壁槽はその上端部に、中央部に円孔を設けた環状の上板を装着して内周に空送室を形成し，該空送室の一側に細片送出口を設けると共に、底部中央にはベアリングを設けて回転軸を縦向きに装着し、該回転軸はその下端部に設けたプーリーにより脱水モーターに連結してあり、上記脱水槽は、周壁に多数の脱水孔を配設し、周壁上端の空送室側には適宜数の羽根片を設け、底部中央には軸孔を設けて上記回転軸の上端部を通すと共に、回転軸を軸孔周囲に固着して、回転軸の回転と同時に回転し得るようにしてあり、上記洗浄槽は、その周壁の上側部を上板の円孔から突出させると共に、円孔周囲に設けたベアリングで枢着し、周壁の下側部には細片排出口を設け、外周には下端部から上板近くまで及ぶスクリューを螺旋状に設け、且つその外周縁が脱水槽内面に近接するようにし、周壁下端部にはベアリングを設けて上記回転軸の上端部に枢着し、洗浄槽上端部に設けたプーリーを洗浄モーターに連結してあり、上記案内筒は、洗浄槽内の上端部から下部の排出口近くに亘り嵌装してあると共に、上端部は、外部に支持固定されている漏斗状のバスケットの下端部に連結してなることを特徴とする回収紙コップ、牛乳パック等の再生処理装置。
【発明の詳細な説明】
【０００１】
【発明が属する技術分野】
本発明は、回収された紙コップ、牛乳パック等の細片を洗浄及び脱水するための洗浄脱水機及び該細片をリサイクルするための再生処理装置に関する。
【０００２】
【従来の技術】
従来、一度使用された紙コップや牛乳パック等は、一般廃棄物として収集運搬業者が飲料メーカー、ベンダー会社、その他の企業所などと処理契約をし、自治体の許可を得て焼却場で料金を支払いすべて焼却しているのが現状である。
【０００３】
【発明が解決しようとする課題】
しかし、年間大量に生産される紙コップや牛乳パック等を使用後焼却処分することは、紙資源の有効利用上、また環境問題上、早期に改善する必要に迫られてきた。そこで、本発明は、一度使用された紙コップや牛乳パック等を飲料メーカー等の支払い負担増とならずに、現状の処理費で有効にリサイクルできるようにしたものである。
【０００４】
【課題を解決するための手段】
上記目的を達成するために、本発明に係る回収紙コップ、牛乳パック等の再生処理装置は、次のように構成した。
押込みホッパーから順次押込まれてくる紙コップ、牛乳パック等を鋸歯状回転刃の噛み合わせにより適宜大きさの細片に破砕する破砕機と、破砕された細片を洗浄し脱水する洗浄脱水機と、脱水された細片をブロワーにより収納袋に送る移送手段とを備えている。
上記洗浄脱水機は、基台上に配設した外壁槽の内側に、脱水槽と洗浄槽と案内筒を夫々所要間隔をおいて同心円状に順次嵌装してなり、外壁槽はその上端部に、中央部に円孔を設けた環状の上板を装着して内周に空送室を形成し，該空送室の一側に細片送出口を設けると共に、底部中央にはベアリングを設けて回転軸を縦向きに装着し、該回転軸はその下端部に設けたプーリーにより脱水モーターに連結してある。
上記脱水槽は、周壁に多数の脱水孔を配設し、周壁上端の空送室側には適宜数の羽根片を設け、底部中央には軸孔を設けて上記回転軸の上端部を通すと共に回転軸を軸孔周囲に固着して、回転軸の回転と同時に回転し得るようにしてある。上記洗浄槽は、その周壁の上側部を上板の円孔から突出させると共に、円孔周囲に設けたベアリングで枢着し、周壁の下側部には細片排出口を設け、外周には下端部から上板近くまで及ぶスクリューを螺旋状に設け、且つその外周縁が脱水槽内面に近接するようにし、周壁下端部にはベアリングを設けて上記回転軸の上端部に枢着し、洗浄槽上端部に設けたプーリーを洗浄モーターに連結してある。上記案内筒は、洗浄槽内の上端部から下部の排出口近くに亘り嵌装してあると共に、上端部は、外部に支持固定されている漏斗状のバスケットの下端部に連結して構成してある。
【０００５】
【発明の実施の形態】
【実施例】
以下添付図面に従って本発明の一実施例を説明する。
図１及び図２において、１は本発明に係る紙コップ、牛乳パック等の再生処理装置を示すものであって、押込みホッパー２を併設した破砕機３、細片を洗浄且つ脱水する洗浄脱水機４、脱水乾燥された細片を収納袋に移送する移送装置５とを備えてなる。６は回収された紙コップ等を収容するケーシング、７は該ケーシング６内の紙コップａ等を押込みホッパー２に移送するスクリューコンベア、８は貯水槽を示す。
【０００６】
上記押込みホッパー２は、図示省略したが、ケーシング内に押込用の羽根付き回転軸を備えており、上方より投入された紙コップ等を一定量ずつ下方の破砕機３内に送り込むようにしてある。そして、破砕機３は、角筒状ケーシング１０内に、鋸歯状回転刃１２を装着した破砕軸１１を所定間隔をおいて並設してあり、該回転刃１２の噛み合わせにより、上方より投入された紙コップａ等を２〜１０ｃｍ位の大きさの細かい細片ｂに破砕して、下端部より排出し得るようにしてある。
【０００７】
上記洗浄脱水機４は、図３乃至図５に示すように、外壁槽２０と、この外壁槽内に夫々所要間隔をおいて同心円状に順次嵌装した脱水槽４０、洗浄槽５０及び案内筒６０とからなっている。
【０００８】
前記外壁槽２０は、その周壁上端部に、中央部に円孔２２を設けた環状の上板２１を装着して内周に空送室２３を形成し、該空送室２３の一側に細片送出口２４を設けてある。また、底部中央には、ベアリング２５を設けて回転軸２６を縦向きに装着すると共に、該回転軸２６の下端部には従動プーリー２７を設けて、脱水モーター２８に設けた主動プーリー２９とＶベルト３０により連結してある。而して、その外周部下側を基台３１上に立設した支柱３２に弾性支持してある。なお、３３は前記細片送出口２４に連結し、外方に延設した細片排出管、３４は排水管を夫々示す。
【０００９】
上記脱水槽４０は、周壁に多数の脱水孔４１を配設し、周壁上端の上記空送室２３側には適宜数の羽根片４２を設けてある。また、底部中央には軸孔４３を設けて上記回転軸２６の上端部を通すと共に、回転軸２６を軸孔４３の周囲に固着し、該回転軸の回転と同時に所要の速度で回転し得るようにしてある。なお、４４はベルト装着部分のカバーを示す。
【００１０】
上記洗浄槽５０は、その周壁の上側部を前記上板２１の円孔２２から突出させると共に該円孔周囲に設けたベアリング５１で枢着し、周壁下側部には細片排出口５２を設けてある。また、外周にはその下端部から上板２１近くまで及ぶスクリュー５３を螺旋状に設け、且つその外周縁が前記脱水槽４０内面に近接するようにしてある。
而して、周壁下端部内にはベアリング５４を設けて、上記回転軸２６の上端部に枢着すると共に、周壁上端部外周には従動プーリー５５を設けて、洗浄モーター５６に設けた主動プーリー５７とＶベルト５８により連結し、所要の速度で回転しうるようにしてある。５９はベルト装着部分のカバーを示す。
【００１１】
また、上記案内筒６０は、前記洗浄槽５０内の上端部から下部の細片排出口５２近くに亘り嵌装してある。而して、案内筒の下端が排出口上端よりやや上方に位置するようにしてある。余り高くすると、落下する細片が洗浄槽５０の周壁に張付く惧れがある。好ましくは、案内筒６０の下端が排出口上端より５〜１０ｍｍ程度上方に位置させるとよい。また、案内筒上端部は、前記上板２２に立設した支持杆６２により支持固定されている漏斗状のバスケット６１の下端部に一体に連結してある。
而して、このバスケット６１は、前記破砕機３の直下に位置し、落下してくる細片ｂを集合しながら、バスケット６１上方から散水管９０で散布される洗浄水で細片を洗浄しつつ排出口６２に誘導し得るようにしてある。
【００１２】
上記移送装置５は、ブロワー７０を備えてなり、該ブロワー７０の入口側と細片排出管３３とをパイプ７１により、またその出口側とサイクロン７２の取入口７３側とをパイプ７４により夫々連結して、洗浄脱水機３から排出された細片ｂを空気の流れによって前記サイクロン７２内に移送し得るようになっている。
なお、９は洗浄水の回収槽であって、外壁槽２０の排水管３４より排出された洗浄水を回収して、返送パイプ８０により貯水槽８に戻し得るようにしてある。
【００１３】
次に本発明に係る再生処理装置の作用につき説明すると、ケーシング６に収容され、選別された紙コップａ等は、スクリューコンベア７により上方に移送され、押込みホッパー２内に投入されて一定量ずつ破砕機３内に押し込まれる。
【００１４】
而して、破砕機３により適宜大きさに破砕された細片ｂは、バスケット６１内に集合し、散水される洗浄水ｗにより洗浄され乍ら案内筒６０内を降下し、その下端部に達すると、洗浄槽３０が高速で回転しているので、細片排出口５２から槽外に飛び出し脱水槽５０内に放出される。なお、洗浄槽３０の回転数は例えば１２３０ｒｐｍ位に調整されている。
【００１５】
而して、脱水槽内の細片は、脱水槽５０の高速回転により表面についた洗浄水が除かれると共に、洗浄槽４０の回転に伴って回転する螺旋状スクリュー５３によって上方に移送され空送室２３内に運ばれる。上記脱水槽５０は、洗浄槽３０と同方向に回転し、その回転数は例えば１２２０ｒｐｍ位であって、前記洗浄槽３０の回転数に応じて、それよりやや小さくなるように調整されている。
【００１６】
空送室２３内に運ばれた細片ｂは、脱水槽５０の上端に設けた羽根片４２の回転によって細片排出口２４に送られ、ブロワー７０の空気の流れに乗って排出管３３から機外に移送されてサイクロン７２内に運ばれ、収納袋ｃに収容される。
【００１７】
【発明の効果】
本発明に係る洗浄脱水機は、請求項１のように構成してあるから、紙コップ、牛乳パック等の細片を効率よく綺麗に洗浄し、且つ脱水乾燥することができる。而して、一連の再生処理装置に組込み易い。
また、本発明に係る再生処理装置は、請求項２のように構成してあるから、紙コップ、牛乳パック等の破砕、細片の洗浄及び脱水、サイクロンへの移送及び収納の各工程を連続して効率よく行うことができる。
従って、本装置を利用すると、飲料メーカー、ベンダー会社、その他の紙コップ、牛乳パック等の取扱業者が処理費用の負担増となることがなく、回収した紙コップ、牛乳パック等をリサイクル処理して、紙資源として有効に再生利用できる。
【図面の簡単な説明】
【図１】本発明に係る再生処理装置の正面図である。
【図２】本発明に係る再生処理装置の側面図である。
【図３】洗浄脱水機の正面図である。
【図４】洗浄脱水機の平面図である。
【図５】図３における中央縦断面図である。
【符号の説明】
１    再生処理装置
２    押込みホッパー
３    破砕機
４    洗浄脱水機
５    移送装置
６    ケーシング
７    スクリューコンベア
８    貯水槽
９    回収槽
１１    破砕軸
１２    鋸歯状回転刃
２０    外壁槽
２１    環状上板
２２    円孔
２３    空送室
２４    細片送出口
２５    ベアリング
２６    回転軸
２８    脱水モーター
４０    脱水槽
４１    脱水孔
４２    羽根片
４３    軸孔
５０    洗浄槽
５１    ベアリング
５２    細片排出口
５３    螺旋状スクリュー
５４    ベアリング
５６    洗浄モーター
６０    案内筒
６１    漏斗状バスケット
７０    ブロワー
７２    サイクロン
【図１】
0003631955.tif 000002
【図２】
0003631955.tif 000003
【図３】
0003631955.tif 000004
【図４】
0003631955.tif 000005
【図５】
0003631955.tif 000006